(57)【要約】【課題】画像形成が可能なように各部材の状態を整えるための前回転動作を行う画像形成装置において、前回のジョブでジャム処理やトナー交換などメンテナンスの必要性が発生していた場合などに応じて、今回のジョブの前における前回転動作を最適な動作条件で動作させることができる画像形成装置を提供することを課題とする。【解決手段】画像形成装置の制御装置９０は、メンテナンスの必要性を検出する検出手段９７、９８、又は９９と、前回のジョブで、前記検出手段９７、９８、又は９９でメンテナンスの必要性が検出されていた場合に、そのメンテンスの種類に関する情報を記憶する記憶手段９１と、今回のジョブの前における前回転動作開始前に、記憶手段９１にメンテナンスの種類に関する情報が記憶されている場合は、そのメンテナンスの種類に基づく前回転動作条件に設定する設定手段９２と、を備えた構成とする。【選択図】  図２
2005284193.tif 000002
【特許請求の範囲】
【請求項１】
画像形成が可能なように各部材の状態を整えるための前回転動作を行う画像形成装置において、
メンテナンスの必要性を検出する検出手段と、
前回のジョブで、前記検出手段でメンテナンスの必要性が検出されていた場合に、そのメンテンスの種類に関する情報を記憶する記憶手段と、
今回のジョブの前における前回転動作開始前に、前記記憶手段にメンテナンスの種類に関する情報が記憶されている場合は、そのメンテナンスの種類に基づく前回転動作条件に設定し、前記記憶手段にメンテナンスの種類に関する情報が記憶されておらず画像形成装置が正常状態である旨の情報が記憶されている場合は、通常パターンの前回転動作条件に設定する設定手段と、
を備えたことを特徴とする画像形成装置。
【請求項２】
前記設定手段は、今回のジョブの前における前回転動作中に、前記検出手段でメンテナンスの必要性が検出された場合に、そのメンテナンスの種類に基づく前回転動作条件に設定変更することを特徴とする請求項１に記載の画像形成装置。
【請求項３】
前記記憶手段は一又は複数のメンテナンスの種類に対応した一又は複数のパターンの前回転動作条件と通常パターンの前回転動作条件とを記憶しており、前記設定手段はこれらのパターンの前回転動作条件の中から一のパターンの前回転動作条件を選択設定することを特徴とする請求項１又は請求項２に記載の画像形成装置。
【請求項４】
今回のジョブの前における前回転動作を終えるときに、前記検出手段で検出されていたメンテナンスの必要性が解除されている場合は、前記記憶手段に画像形成装置が正常状態である旨の情報を書き込み、前記検出手段で検出されていたメンテナンスの必要性が解除されていない場合は、前記記憶手段にそのメンテンスの種類に関する情報を再度書き込むことを特徴とする請求項１から請求項３のうち何れか一項に記載の画像形成装置。
【請求項５】
今回のジョブの前における前回転動作を終えるときに、前記検出手段で検出されていたメンテナンスの必要性が解除されていない場合に、その旨を報知する報知手段を備えたことを特徴とする請求項１から請求項４のうち何れか一項に記載の画像形成装置。
【発明の詳細な説明】
【技術分野】
【０００１】
本発明は、画像形成が可能なように各部材の状態を整えるための前回転動作を行う画像形成装置に関する。
【背景技術】
【０００２】
コピー機や、ファクシミリ、プリンタなどの画像形成装置においては、電源投入時などの画像形成装置の立ち上がり時に定着装置内のヒートローラとプレスローラの各々の表面温度を均一にしたり、感光体ドラムや転写ローラ上に付着した残トナーを除去したり、用紙搬送経路上に残っている用紙を検出及び排出するために、これらの部材を駆動する駆動モータを所定時間（以下、前回転動作時間という）、回転動作（以下、前回転動作という）させるものが知られている（例えば、特許文献１参照）。
このような画像形成装置では、電源投入後やジャム処理後の定着装置のウォームアップにおいて、ヒートローラの表面温度が所定の温度に達するまで、前回転動作を行っている。
【０００３】
【特許文献１】特開平１１−５２７７８号公報
【発明の開示】
【発明が解決しようとする課題】
【０００４】
従来の画像形成装置では、前回のジョブで、紙ジャムが発生していた場合なども、今回のジョブの前における前回転動作は、一律に所定の前回転動作条件に基づいて行われており、所定の前回転動作時間で前回転動作が行われていた。
【０００５】
この紙ジャムが発生していた場合には、念のために、画像形成装置内の用紙搬送経路にまだ用紙が残っていないか確認しておきたいものであり、万一、用紙が残っていれば、再び紙ジャムが発生する可能性が高い。そこで、この場合は、望ましくは、給紙カセットから排紙トレイまでの用紙搬送経路に沿って用紙を搬送させるのに要する時間、画像形成装置の駆動源を前回転駆動させておき、万一、用紙搬送経路に用紙が残っていれば、該用紙が搬送可能な状態の場合は、この前回転動作で排出されていく。一方、画像形成装置が正常であるときは、そこまで長く前回転動作を行う必要もなく、これを一律に所定の前回転動作時間で前回転動作を行っていると、ユーザーを必要以上に待たせたるなどの問題点があった。
【０００６】
そこで、本発明では、このような点を鑑み、前回のジョブで、ジャム処理やトナー交換などメンテナンスの必要性が発生していた場合や、画像形成装置が正常な場合など画像形成装置の状態に応じて、今回のジョブの前における前回転動作を最適な動作条件で動作させることができる画像形成装置を提供することを課題とする。
【課題を解決するための手段】
【０００７】
本発明の解決しようとする課題は以上のとおりであり、次にこの課題を解決するための手段を説明する。
まず、請求項１に記載のように、画像形成が可能なように各部材の状態を整えるための前回転動作を行う画像形成装置において、メンテナンスの必要性を検出する検出手段と、前回のジョブで、前記検出手段でメンテナンスの必要性が検出されていた場合に、そのメンテンスの種類に関する情報を記憶する記憶手段と、今回のジョブの前における前回転動作開始前に、前記記憶手段にメンテナンスの種類に関する情報が記憶されている場合は、そのメンテナンスの種類に基づく前回転動作条件に設定し、前記記憶手段にメンテナンスの種類に関する情報が記憶されておらず画像形成装置が正常状態である旨の情報が記憶されている場合は、通常パターンの前回転動作条件に設定する設定手段と、を備えた構成とする。
【０００８】
また、請求項２に記載のように、前記設定手段は、今回のジョブの前における前回転動作中に、前記検出手段でメンテナンスの必要性が検出された場合に、そのメンテナンスの種類に基づく前回転動作条件に設定変更するものとする。
【０００９】
そして、請求項３に記載のように、前記記憶手段は一又は複数のメンテナンスの種類に対応した一又は複数のパターンの前回転動作条件と通常パターンの前回転動作条件とを記憶しており、前記設定手段はこれらのパターンの前回転動作条件の中から一のパターンの前回転動作条件を選択設定するものとする。
【００１０】
さらに、請求項４に記載のように、今回のジョブの前における前回転動作を終えるときに、前記検出手段で検出されていたメンテナンスの必要性が解除されている場合は、前記記憶手段に画像形成装置が正常状態である旨の情報を書き込み、前記検出手段で検出されていたメンテナンスの必要性が解除されていない場合は、前記記憶手段にそのメンテンスの種類に関する情報を再度書き込むものとする。
【００１１】
そうして、請求項５に記載のように、今回のジョブの前における前回転動作を終えるときに、前記検出手段で検出されていたメンテナンスの必要性が解除されていない場合に、その旨を報知する報知手段を備えた構成とする。
【発明の効果】
【００１２】
本発明は、以上のように構成したことにより、次のような効果を奏する。
まず、請求項１に記載の発明では、今回のジョブの前における前回転動作開始前に、前回のジョブでジャム処理やトナー交換などメンテナンスの必要性が発生していた場合や、画像形成装置が正常な場合など、前回のジョブでの画像形成装置の状態に応じて今回のジョブの前における前回転動作を、最適な前回転動作時間で最適な前回転動作条件に基づいて動作するように設定することができ、毎回の前回転動作において、ギアやローラなどの部材の摩耗を必要最小限に抑えることができるとともに、ユーザーを必要以上に待たせることもなくなり、利便性が向上する。
【００１３】
また、請求項２に記載の発明では、今回のジョブの前における前回転動作中に、ジャム処理やトナー交換などメンテナンスの必要性が発生した場合に、そのメンテナンスの種類に基づく前回転動作条件に設定変更して、今回のジョブの前における前回転動作を、最適な前回転動作時間で最適な前回転動作条件に基づいて動作するように設定することができ、毎回の前回転動作において、ギアやローラなどの部材の摩耗を必要最小限に抑えることができるとともに、ユーザーを必要以上に待たせることもなくなり、利便性が向上する。
【００１４】
そして、請求項３に記載の発明では、今回のジョブの前における前回転動作開始前に、画像形成装置でメンテナンスの必要性が発生していた場合などや、今回のジョブの前における前回転動作中に、メンテナンスの必要性が発生した場合に、そのメンテナンスの種類に基づいて複数のパターンの前回転動作条件の中から最適な前回転動作条件を選択設定することができ、毎回の前回転動作において、ギアやローラなどの部材の摩耗を必要最小限に抑えることができるとともに、ユーザーを必要以上に待たせることもなくなり、利便性が向上する。
【００１５】
さらに、請求項４に記載の発明では、今回のジョブの前に、メンテンスの必要性がなくなったか否かを再確認することができ、信頼性が向上する。今回のジョブの前における前回転動作を終えるときに、前記検出手段で検出されていたメンテナンスの必要性が解除されている場合は、前記記憶手段に書き込まれていたそのメンテンスの種類に関する情報を自動的にクリアーして画像形成装置が正常状態である旨の情報を書き込み、一方、前記検出手段で検出されていたメンテナンスの必要性が解除されていない場合は、前記記憶手段にそのメンテンスの種類に関する情報を再度書き込んで、この後の制御は、この記憶手段に書き込まれた情報を参照して行われる。
【００１６】
そうして、請求項５に記載の発明では、今回のジョブの前における前回転動作を終えるときに、前記検出手段で検出されていたメンテナンスの必要性が解除されていない場合に、報知手段によりその旨が報知されて、ユーザーにメンテナンスが促され、信頼性が向上する。
【発明を実施するための最良の形態】
【００１７】
次に、本発明の実施の一形態を、図面を参照しながら説明する。
まず、図１を参照しながら、コピー機やファクシミリ、プリンタ等が具備する画像形成装置１について概略説明する。
【００１８】
図１に示すように、画像形成装置１の装置本体１ａは給紙装置５の上方に配置されており、該装置本体１ａの上方には操作部９が設けられて、該装置本体１ａの上部に排紙トレイ８が形成されている。装置本体１ａの内部には、給紙装置５から繰り込まれた用紙を搬送する第１用紙搬送経路１１と、用紙の紙面を反転するための第２用紙搬送経路１２とが形成されており、該第１用紙搬送経路１１に沿い、下流側へ向けて、現像器ユニット２、感光体ユニット３、定着器ユニット４が配置されている。また、感光体ユニット３の斜上方には露光器ユニット６が配置されており、これらのユニット２、３、４、６で画像形成部が構成されて、給紙装置５の給紙トレイ５０にセットされた用紙はピックアップローラ５１によって繰り込まれて、該画像形成部で画像情報が転写されて定着が行われた後、排紙口８０から排紙トレイ８へ排出されるように構成されている。
【００１９】
画像形成装置１の一側部にはジャムアクセスカバー７が装置本体１ａに対して開閉（回動）可能に設けられており、該ジャムアクセスカバー７は装置本体１ａの一側端部の下部位置を中心に上下回動可能に構成されて、用紙搬送経路１１、１２でジャムが発生した場合などに、装置本体１ａの一側部を開放できるように構成されている。
【００２０】
操作部９は、各種操作キーや、表示パネルなどを備え、表示手段である表示パネル９４はＬＣＤ（液晶ディスプレイ）などで構成されている。表示パネル上には各種情報を呼び出して、画像形成装置１の処理動作などを選択設定できるように構成されるとともに、画像形成装置１で紙ジャムなどやトナー残量が少ないなどの支障が発生した場合には、その旨が表示パネル９４上に表示されるように構成されている。すなわち、表示パネル９４はユーザーへ画像形成装置１の異常などを報知する報知手段としても構成されている。
なお、報知手段の構成は、この構成に限定するものではなく、アラーム音や音声ガイダンスなどにより聴覚を通じて報知するように構成してもよい。
【００２１】
次に、装置本体１ａ内に形成される用紙搬送経路１１、１２について説明する。
第２記録紙搬送経路１２は、第１用紙搬送経路１１の外側方（ジャムアクセスカバー７側）に配置されており、該第１用紙搬送経路１１と該第２用紙搬送経路１２とは、画像形成部の下流側の分岐部１１ｂで分岐し、画像形成部の上流側の合流部１１ａで合流するように構成されている。
【００２２】
前記第１用紙搬送経路１１に沿って、給紙トレイ５０からの給紙口付近にピックアップローラ５１が配置され、合流部１１ａの下流側に一対のレジストローラ１３・１４が配置されて、前記の画像形成部は該レジストローラ１３・１４と分岐部１１ｂとの間に配置され、排紙口８０付近には一対の排出ローラ８１・８２が配置されている。
【００２３】
前記のように画像形成部は、現像器ユニット２、感光体ユニット３、定着器ユニット４、露光器ユニット６を備えており、それぞれ次のように構成されている。
【００２４】
現像手段である現像器ユニット２は、トナーを収容するトナーケース２０と、該トナーケース２０の一側方に配置される供給ローラ２１と、該供給ローラ２１と感光体ユニット３の感光ドラム３１との双方に外接する現像ローラ２２と、バイアス電圧印加手段である現像器電圧印加回路２６などを備えており、現像器電圧印加回路２６により供給ローラ２１に所定のバイアス電圧が印加されるとともに、現像ローラ２２に所定のバイアス電圧が印加される。供給ローラ２１はトナーケース２０からトナーを負に帯電させつつ現像ローラ２２に供給し、現像ローラ２２は該トナーを静電潜像が形成された感光ドラム３１に供給して、該トナーは静電気力で感光ドラム３１上の負の電荷が消去されている部分にのみ付着するように構成されている。
【００２５】
感光体ユニット３は、感光体として外周面に光導電膜を有する感光ドラム３１と、該感光ドラム３１に外接するブラシローラ式の帯電手段である帯電ブラシ３２と、該感光ドラム３１に外接するブラシ式のメモリ除去手段であるメモリ除去ブラシ３３と、該帯電ブラシ３２にバイアス電圧を印加するバイアス電圧印加手段である帯電ブラシ電圧印加回路３６と、該メモリ除去ブラシ３３にバイアス電圧を印加するバイアス電圧印加手段であるメモリ除去ブラシ電圧印加回路３７などを備えており、帯電ブラシ電圧印加回路３６により所定のバイアス電圧が印加された帯電ブラシ３２は回転しながら感光ドラム３１の外周面に均一に負の電荷を付与して、一様に帯電させるように構成されている。メモリ除去ブラシ３３には、用紙へトナー像が転写された後に、メモリ除去ブラシ電圧印加回路３７によって所定のバイアス電圧が印加されて、転写後にも感光ドラム３１の外周面に画像の輪郭に沿って残るトナー画像（メモリ画像）を除去するように構成されている。
【００２６】
感光ドラム３１の斜上方には露光手段である露光器ユニット６が配置されており、該露光器ユニット６はレーザスキャナユニットなどで構成されて、帯電ブラシ３２によって帯電された感光ドラム３１の外周面に、入力された画像情報に基づき、露光光線６０を照射し、該露光光線６０が照射された部分の負の電荷を消去して、感光ドラム３１の外周面に画像情報に対応する静電潜像を形成するように構成されている。
【００２７】
また、転写手段である転写ローラ３９が第１用紙搬送経路１１を挟んで感光ドラム３１の外周面と接触するように配置されている。この転写口ーラ３２にはバイアス電圧印加手段である転写ローラ電圧印加回路３８により所定のバイアス電圧が印加されるように構成されており、感光ドラム３１と転写口ーラ３９とのニップ部に用紙が送り込まれて、該感光ドラム３１に密着した用紙の裏側から、転写ローラ３９にバイアス電圧を印加することで、負に帯電しているトナーを感光ドラム３１から用紙へ転写するよう構成されている。
【００２８】
定着手段である定着器ユニット４は、ヒートローラ４１と、該ヒートローラ４１の外周面に圧接するように第１用紙搬送経路１１を挟んで配置されたプレスローラ４２と、を備え、該ヒートローラ４１と該プレスローラ４２とのニップ部に用紙が送り込まれて、該ヒートローラ４１と該プレスローラ４２とにより転写後の用紙が加熱・加圧されて、用紙上のトナー画像を定着させるように構成されている。ヒートローラ４１内の軸心位置若しくは軸心位置から少しプレスローラ４２側に寄せた位置には熱源としてハロゲンランプ等のランプヒータ４３が内装されており、該ランプヒータ４３にて発生した熱がヒートローラ４１の外周部に伝達されるように構成されている。また、ヒートローラ４１の外周表面には温度検出手段であるサーミスタ４５が設けられており、ヒートローラ４１の外周温度（表面温度）を検出して温度制御するように構成されている。
【００２９】
このランプヒータ４３と、サーミスタ４５と、前記各電圧印加回路２６、３６、３７、３８と、前記表示パネル９４などは、後述の制御装置９０に通信接続されている（図２参照）。
【００３０】
以上のユニット２、３、４、６は、画像形成装置１の装置本体１ａに着脱可能に構成されており、各ユニット２、３、４、６にはそれぞれそのユニットの交換時期（又は補給時期）を検出する寿命検出手段が設けられている。この寿命検出手段は、例えば、ユニットの動作回数をカウントして、その動作回数が定格使用回数に達したか否かを検出するように構成されており、また、現像器ユニット２については、トナーケース２０内のトナーの残量が所定量以下になったか否かを検出するように構成してもよい。
【００３１】
そうして、前記第２用紙搬送経路１２に沿っては、一対の第１フィードローラ１５・１６と、一対の第２フィードローラ１７・１８とが配置されている。
なお、前記ローラ対の配置数、及び配置位置は上記構成に限定するものではないものとする。
【００３２】
画像形成装置１は、駆動源として第１駆動モータ９５と、第２駆動モータ９６とを備え（図２参照）、第１駆動モータ９５は前記ローラ１３・１４・１５・１６・１７・１８・２１・２２・３２・３３・４１・４２・５１及び感光ドラム３１へ駆動力を伝達するとともに、トナーケース２０内でトナーを攪拌する攪拌部材（図示略）などに駆動力を伝達し、第２駆動モータ９６は前記排出ローラ８１・８２へ駆動力を伝達するように構成されている。第２駆動モータ９６については正逆回転可能に構成されており、用紙の第１面と第２面の両面に画像を形成する場合に、第１面に画像が定着された用紙の終端が分岐部１１ｂを通過した後、排出ローラ８１・８２の回転方向を切り換えて用紙の搬送方向を反転（スイッチバック反転）させ、第２用紙搬送経路１２へ向けて搬送するように構成されている。
【００３３】
これらの駆動モータ９５、９６には、例えば、固定子の多相巻線に順次パルスを加え、その１パルスごとに回転子が一定角度だけ回転するステップモータが使用されており、後述する制御装置９０でステップ制御を行って、該駆動モータ９５（９６）の回転ステップ数をカウントしながら用紙の搬送距離を計り、用紙の搬送制御を行っている。
【００３４】
次に、画像形成装置１の前回転動作条件の設定について説明する。
図２に示すように、画像形成装置１は、装置本体１ａに、画像形成装置１への給紙をスタンバイし、画像形成が可能なように各部材の状態を整えるための前回転動作を行う制御装置９０を備えており、この制御手段である制御装置９０は、前記駆動モータ９５、９６、各電圧印加回路２６、３６、３７、３８に通信接続されて、前回のジョブにおいて画像形成装置１でメンテナンスの必要性が発生したか否かの情報に基づいて今回のジョブの前における前回転駆動条件（各モータ９５、９６の駆動時間、駆動開始・駆動停止のタイミング、第２駆動モータ９６にあっては回転方向の切り換えタイミング、各電圧印加回路２６、３６、３７、３８における電圧値、電圧印加時間、電圧印加開始・印加停止のタイミングなど）が設定されて、該前回転駆動条件で前記駆動モータ９５、９６等を前回転動作させるように構成されている。
【００３５】
前記制御装置９０は、メンテナンスの必要性を検出する検出手段と、前回のジョブで、前記検出手段でメンテナンスの必要性が検出されていた場合に、そのメンテンスの種類に関する情報を記憶する記憶手段２１と、今回のジョブの前における前回転動作開始前に、前記記憶手段２１にメンテナンスの種類に関する情報が記憶されている場合は、そのメンテナンスの種類に基づく前回転動作条件に設定し、前記記憶手段２１にメンテナンスの種類に関する情報が記憶されておらず画像形成装置１が正常状態である旨の情報が記憶されている場合は、通常パターンの前回転動作条件に設定する設定手段２２と、を備えている。
また、この設定手段２２は、今回のジョブの前における前回転動作中に、前記検出手段でメンテナンスの必要性が検出された場合にも、そのメンテナンスの種類に基づく前回転動作条件に設定変更するように構成されている。
【００３６】
以下、具体的に説明すると、メンテナンスの必要性を検出する検出手段としては、例えば、前記のユニットの交換時期（又は補給時期）を検出する寿命検出手段９７や、紙ジャムの発生を検出する用紙検出手段９８、９９などがあり、これらの検出手段９７、９８、９９は制御手段である制御装置９０に通信接続されている。ここでは、寿命検出手段９７を、現像器ユニット２のトナーの交換時期を検出する寿命検出手段として説明するが、該寿命検出手段９７は他の寿命検出手段であってもよい。
【００３７】
第１用紙検出手段９８は第１用紙搬送経路１１に沿って第２用紙搬送経路１２からの合流部１１ａとレジストローラ１３・１４との間に配置され、第２用紙検出手段９９は第１用紙搬送経路１１に沿って第２用紙搬送経路１２への分岐部１１ｂと排出ローラ８１・８２との間に配置されて、該用紙検出手段９８、９９は、例えば、接触式のフィーラセンサや、光学式の光センサなどで構成されて、用紙の先端又は終端の通過を検出するように構成されている。
【００３８】
第１用紙搬送経路１１を搬送される用紙は、第１用紙検出手段９８で検出された後、第２用紙検出手段９９でも必ず検出されるようになっており、用紙の先端が第１用紙検出手段９８で検出されたときから、第１用紙搬送経路１１を搬送されて第２用紙検出手段９９で検出されるまでの用紙の搬送時間（第１駆動モータ９５の回転ステップ数）は決まっていて、第１用紙検出手段９８で用紙の先端が検出されたときから、この搬送時間を経過した後も、第２用紙検出手段９９で用紙の先端が検出されない場合に、制御装置９０で紙ジャムが発生したと判断されるように構成されている。
【００３９】
同様に、第２用紙搬送経路１２を搬送される用紙は、第２用紙検出手段９９で検出された後、第１用紙検出手段９８でも必ず検出されるようになっており、用紙の先端が第２用紙検出手段９９で検出されたときから、第２用紙搬送経路１２を搬送されて第１用紙検出手段９８で検出されるまでの用紙の搬送時間（第１駆動モータ９５の回転ステップ数）は決まっていて、第２用紙検出手段９９で用紙の先端が検出されたときから、この搬送時間を経過した後も、第１用紙検出手段９８で用紙の先端が検出されない場合に、制御装置９０で紙ジャムが発生したと判断されるように構成されている。
【００４０】
また、給紙トレイ５０からの給紙直後において、ピックアップローラ５１の回転駆動が開始されてから、該ピックアップローラ５１により繰り込まれた用紙がレジストローラ１３・１４の手前の第１用紙検出手段９８に到達するまでの用紙の搬送時間（第１駆動モータ９５の回転ステップ数）は決まっており、ピックアップローラ５１の回転駆動が開始されてから、この搬送時間を経過した後も、第１用紙検出手段９８で用紙の先端が検出されない場合に、制御装置９０で紙ジャムが発生したと判断されるように構成されている。
【００４１】
さらに、排紙トレイ８へ用紙が排出されるときに、第２用紙検出手段９９によって用紙が所定時間以上継続して検出され続けた場合に、制御装置９０で紙ジャムが発生したと判断されるように構成されている。
【００４２】
以上のように用紙検出手段９８、９９は構成されており、これらの用紙検出手段９８、９９は紙ジャムの発生を検出するほか、用紙の先端又は終端の通過を検出して、制御タイミングを図っている。なお、紙ジャムの発生を検出する用紙検出手段の配置位置や配置数などの構成は、上記構成に限定するものではない。
【００４３】
前記記憶手段９１は一又は複数のメンテナンス（例えば、紙ジャム、トナー交換等）の種類に対応した一又は複数のパターンの前回転動作条件と通常パターンの前回転動作条件とを記憶しており、前記設定手段９２はこれらのパターンの前回転動作条件の中から、そのときの画像形成装置１にとって最適な、一のパターンの前回転動作条件を選択設定するように構成されている。これにより、毎回の前回転動作において、ギアやローラなどの部材の摩耗を必要最小限に抑えることができるとともに、ユーザーを必要以上に待たせることもなく、利便性の向上が図られる。
【００４４】
次に、一例として、前回のジョブで画像形成装置１が正常であった場合の前回転動作条件のパターン（以下、通常パターンという）と、前回のジョブで紙ジャムが発生した場合の前回転動作条件のパターン（以下、紙ジャムパターンという）と、前回のジョブでトナー交換要求が発生した場合の前回転動作条件のパターン（以下、トナー交換パターンという）と、を説明する。前記のように、これらのパターンに基づく前回転動作は今回のジョブ前に行われる動作であり、ここでは、これらのパターンの前回転動作条件は、第１駆動モータ９５の前回転動作時間などとしているが、該前回転動作条件は以下に記載の条件に限定するものではない。
【００４５】
まず、通常パターンの前回転動作条件について説明する。
図３は通常パターンの前回転動作のタイムチャートを示し、同図（ａ）は画像形成装置１の立ち上がりに伴って加熱されるヒートローラ４１の表面温度の変化を示すタイムチャート、同図（ｂ）は第１駆動モータ９５の前回転動作時間を示すタイムチャートであり、同図（ｃ）は第２駆動モータ９６の駆動のＯＮ／ＯＦＦ制御を示すタイムチャート、同図（ｄ）は現像器ユニット２へバイアス電圧を供給する現像器電圧印加回路２６のＯＮ／ＯＦＦ制御を示すタイムチャートである。
【００４６】
図３（ａ）（ｂ）に示すように、画像形成装置１の電源をＯＮにするなどして画像形成装置１の立ち上がり操作がなされると、これをトリガーとして制御装置９０からランプヒータ４３へ加熱指令が出力される。これによりヒートローラ４１の外周温度は上昇していき、サーミスタ４５で所定の温度（図３（ａ）における温度Ｔａ）が検出されると、制御装置９０から第１駆動モータ９５へ駆動信号が出力されて、第１駆動モータ９５の前回転駆動が開始される。そして、この第１駆動モータ９５の前回転駆動開始から所定の前回転動作時間（図３（ｂ）における時刻τａから時刻τｂまでの時間）τ０が経過すると、制御装置９０から第１駆動モータ９５へ停止信号が出力されて、該第１駆動モータ９５の前回転駆動が停止されるとともに、制御装置９０からランプヒータ４３へ温度保持指令が出力されて、該ランプヒータ４３はＯＮ／ＯＦＦ制御を繰り返しながらヒートローラ４１の表面温度を略一定に保ち、画像形成装置１は画像形成処理を待ち受ける待機状態に移行する。
【００４７】
次に、第２駆動モータ９６の動作について説明すると、図３（ｃ）に示すように、第２駆動モータ９６の駆動開始は第１駆動モータ９５の駆動開始と同様に、サーミスタ４５で所定の温度Ｔａが検出されたときに（時刻τａ）、制御装置９０から第２駆動モータ９６へ正転駆動信号が出力されて、第２駆動モータ９６の正転駆動が開始される。この第２駆動モータ９６の正転駆動開始から第１の動作時間τ０１が経過すると、制御装置９０から第２駆動モータ９６へ逆転駆動信号が出力されて、第２駆動モータ９６は回転方向が切り換えられ逆転駆動を開始する。そして、この第２駆動モータ９６の逆転駆動開始から第２の動作時間τ０２が経過すると、制御装置９０から第２駆動モータ９６へ再び正転駆動信号が出力されて、第２駆動モータ９６は回転方向が切り換えられ正転駆動を開始する。そうして、この第２駆動モータ９６の正転駆動開始から第３の動作時間τ０３が経過すると、制御装置９０から第２駆動モータ９６へ停止信号が出力されて、第２駆動モータ９６の駆動を停止させ、この第２駆動モータ９６の駆動停止から時間τ０４経過後に、第１駆動モータ９５の駆動も停止されて、前回転動作が終了する。
【００４８】
前記の前回転動作時間τ０は、τ０＝τ０１＋τ０２＋τ０３＋τ０４となり、通常パターンに最適な前回転動作時間として設定されている。この通常パターンの場合は、第１用紙搬送経路１１、又は第２用紙搬送経路１２に用紙が残っていることはまずないが、万一、第１用紙搬送経路１１の途中、又は第２用紙搬送経路１２の途中に用紙が残っている場合に、その用紙が搬送されたときに、該用紙の先端が第１用紙検出手段９８又は第２用紙検出手段９９で検出され得るように駆動モータ９５、９６を動作させつつ、前回転動作時間τ０はできるだけ短い時間に設定されている。第１の動作時間τ０１は、例えば、用紙の先端が第１用紙検出手段９８で検出されたときから、第１用紙搬送経路１１を搬送されて第２用紙検出手段９９で検出されるまでの用紙の搬送時間（第１駆動モータ９５の回転ステップ数）に相当する時間であり、第２の動作時間τ０２は、例えば、スイッチバック反転した用紙の先端が第２用紙検出手段９９で検出されたときから、第２用紙搬送経路１２を搬送されて第１用紙検出手段９８で検出されるまでの用紙の搬送時間（第１駆動モータ９５の回転ステップ数）に相当する時間である。
【００４９】
以上のように通常パターンの前回転動作時間τ０が設定されており、この前回転動作時間τ０は後述の他のパターンの前回転動作時間τ１、τ２に比べてかなり短く設定されて、ユーザーをあまり待たせないようにしている。
【００５０】
次に、現像器ユニット２へ印加するバイアス電圧のＯＮ／ＯＦＦ制御について説明すると、図３（ｄ）に示すように、通常パターンでは、サーミスタ４５で所定の温度Ｔａが検出されたときに（時刻τａ）、制御装置９０から前記現像器電圧印加回路２６へバイアス電圧印加するＯＮ信号が出力されて、現像器電圧印加回路２６からはバイアス電圧Ｅａが出力される。このときに、感光ドラム３１の表面に残存しているトナーが、現像ローラ２２に回収されて、感光ドラム３１の表面が清掃される。そして、このときから前記前回転動作時間τ０が経過すると、制御装置９０から現像器電圧印加回路２６へＯＦＦ信号が出力されて、バイアス電圧の印加が停止される。
【００５１】
次に、紙ジャムパターンの前回転動作条件について説明する。
図４は紙ジャムパターンの前回転動作のタイムチャートを示し、同図（ａ）は画像形成装置１の立ち上がりに伴って加熱されるヒートローラ４１の表面温度の変化を示すタイムチャート、同図（ｂ）は第１駆動モータ９５の前回転動作時間を示すタイムチャートであり、同図（ｃ）は第２駆動モータ９６の駆動のＯＮ／ＯＦＦ制御を示すタイムチャート、同図（ｄ）は現像器ユニット２へバイアス電圧を供給する現像器電圧印加回路２６のＯＮ／ＯＦＦ制御を示すタイムチャートである。
【００５２】
図４（ａ）（ｂ）に示すように、画像形成装置１の電源をＯＮにするなどして画像形成装置１の立ち上がり操作がなされると、これをトリガーとして制御装置９０からランプヒータ４３へ加熱指令が出力される。これによりヒートローラ４１の外周温度は上昇していき、サーミスタ４５で所定の温度（図４（ａ）における温度Ｔａ）が検出されると、制御装置９０から第１駆動モータ９５へ駆動信号が出力されて、第１駆動モータ９５の前回転駆動が開始される。そして、この第１駆動モータ９５の前回転駆動開始から所定の前回転動作時間（図４（ｂ）における時刻τａから時刻τｃまでの時間）τ１が経過すると、制御装置９０から第１駆動モータ９５へ停止信号が出力されて、該第１駆動モータ９５の前回転駆動が停止されるとともに、制御装置９０からランプヒータ４３へ温度保持指令が出力されて、該ランプヒータ４３はＯＮ／ＯＦＦ制御を繰り返しながらヒートローラ４１の表面温度を略一定に保ち、画像形成装置１は画像形成処理を待ち受ける待機状態に移行する。
【００５３】
次に、第２駆動モータ９６の動作について説明すると、図４（ｃ）に示すように、第２駆動モータ９６の駆動開始は第１駆動モータ９５の駆動開始と同様に、サーミスタ４５で所定の温度Ｔａが検出されたときに（時刻τａ）、制御装置９０から第２駆動モータ９６へ正転駆動信号が出力されて、第２駆動モータ９６の正転駆動が開始される。この第２駆動モータ９６の正転駆動開始から第１の動作時間τ１１（＞τ０１）が経過すると、制御装置９０から第２駆動モータ９６へ逆転駆動信号が出力されて、第２駆動モータ９６は回転方向が切り換えられ逆転駆動を開始する。そして、この第２駆動モータ９６の逆転駆動開始から第２の動作時間τ１２（＝τ０２）が経過すると、制御装置９０から第２駆動モータ９６へ再び正転駆動信号が出力されて、第２駆動モータ９６は回転方向が切り換えられ正転駆動を開始する。そうして、この第２駆動モータ９６の正転駆動開始から第３の動作時間τ１３（＞τ０３）が経過すると、制御装置９０から第２駆動モータ９６へ停止信号が出力されて、第２駆動モータ９６の駆動を停止させ、この第２駆動モータ９６の駆動停止から時間τ１４経過後に、第１駆動モータ９５の駆動も停止されて、前回転動作が終了する。
【００５４】
前記の前回転動作時間τ１は、τ１＝τ１１＋τ１２＋τ１３＋τ１４となり、紙ジャムパターンに最適な前回転動作時間として設定されている。この紙ジャムパターンの場合は、前回のジョブでジャム処理が行われずに、第１用紙搬送経路１１、又は第２用紙搬送経路１２に用紙が残っている可能性もあり、２枚以上の用紙が重送されてジャムが発生した場合など、第１用紙搬送経路１１の途中、又は第２用紙搬送経路１２の途中に用紙が搬送可能な状態で残っている場合に、その用紙が排出され得るように、前回転動作時間τ１が設定されている。第１の動作時間τ１１は、例えば、用紙の先端が第１用紙検出手段９８で検出されたときから、第１用紙搬送経路１１を搬送されて用紙が排紙口８０から排出されるまでの用紙の搬送時間（第１駆動モータ９５の回転ステップ数）に相当する時間であり、第２の動作時間τ１２と第３の動作時間τ１３とを足し合わせた時間は、例えば、スイッチバック反転した用紙の先端が第２用紙検出手段９９で検出されたときから、第２用紙搬送経路１２を搬送されて合流部１１ａから第１用紙搬送経路１１へ進入して排紙口８０から排出されるまでの用紙の搬送時間（第１駆動モータ９５の回転ステップ数）に相当する時間である。
【００５５】
以上のように紙ジャムパターンの前回転動作時間τ１が設定されており、この前回転動作時間τ１は前記の通常パターンの前回転動作時間τ０よりも長い時間となり、第１用紙搬送経路１１の途中、又は第２用紙搬送経路１２の途中に用紙が残っている場合に、その用紙が自動的に排出され得るよう構成されている。
【００５６】
次に、現像器ユニット２へ印加するバイアス電圧のＯＮ／ＯＦＦ制御について説明すると、図４（ｄ）に示すように、通常パターンでは、サーミスタ４５で所定の温度Ｔａが検出されたときに（時刻τａ）、制御装置９０から前記現像器電圧印加回路２６へバイアス電圧印加するＯＮ信号が出力されて、現像器電圧印加回路２６からはバイアス電圧Ｅａが出力される。この間に感光ドラム３１の表面がクリーニングされる。そして、このときから前記前回転動作時間τ１が経過すると、制御装置９０から現像器電圧印加回路２６へＯＦＦ信号が出力されて、バイアス電圧の印加が停止される。
【００５７】
次に、トナー交換パターンの前回転動作条件について説明する。
図５はトナー交換パターンの前回転動作のタイムチャートを示し、同図（ａ）は画像形成装置１の立ち上がりに伴って加熱されるヒートローラ４１の表面温度の変化を示すタイムチャート、同図（ｂ）は第１駆動モータ９５の前回転動作時間を示すタイムチャートであり、同図（ｃ）は第２駆動モータ９６の駆動のＯＮ／ＯＦＦ制御を示すタイムチャート、同図（ｄ）は現像器ユニット２へバイアス電圧を供給する現像器電圧印加回路２６のＯＮ／ＯＦＦ制御を示すタイムチャートである。
【００５８】
図５（ａ）（ｂ）に示すように、画像形成装置１の電源をＯＮにするなどして画像形成装置１の立ち上がり操作がなされると、これをトリガーとして制御装置９０からランプヒータ４３へ加熱指令が出力される。これによりヒートローラ４１の外周温度は上昇していき、サーミスタ４５で所定の温度（図５（ａ）における温度Ｔａ）が検出されると、制御装置９０から第１駆動モータ９５へ駆動信号が出力されて、第１駆動モータ９５の前回転駆動が開始される。そして、この第１駆動モータ９５の前回転駆動開始から所定の前回転動作時間（図５（ｂ）における時刻τａから時刻τｄまでの時間）τ２が経過すると、制御装置９０から第１駆動モータ９５へ停止信号が出力されて、該第１駆動モータ９５の前回転駆動が停止されるとともに、制御装置９０からランプヒータ４３へ温度保持指令が出力されて、該ランプヒータ４３はＯＮ／ＯＦＦ制御を繰り返しながらヒートローラ４１の表面温度を略一定に保ち、画像形成装置１は画像形成処理を待ち受ける待機状態に移行する。
【００５９】
次に、第２駆動モータ９６であるが、図５（ｃ）に示すように、トナー交換パターンにおいては、この第２駆動モータ２１は動作させることなく、前回転動作期間中、終始停止させている。
【００６０】
次に、現像器ユニット２へ印加するバイアス電圧のＯＮ／ＯＦＦ制御について説明すると、図５（ｄ）に示すように、トナー交換パターンでは、サーミスタ４５で所定の温度Ｔａが検出されたときに（時刻τａ）、制御装置９０から前記現像器電圧印加回路２６へバイアス電圧印加するＯＮ信号が出力されて、現像器電圧印加回路２６からは通常のバイアス電圧Ｅａが出力される。このときから第１の動作時間τ２１が経過すると、制御装置９０から現像器電圧印加回路２６へ第２のＯＮ信号が出力されて、現像器電圧印加回路２６からは通常のバイアス電圧Ｅａよりも高い第２のバイアス電圧Ｅｂが出力される。そして、このときから第２の動作時間τ２２が経過すると、制御装置９０から現像器電圧印加回路２６へＯＦＦ信号が出力されて、バイアス電圧の印加が停止される。
【００６１】
前記の前回転動作時間τ２は、τ２＝τ２１＋τ２２となり、トナー交換パターンに最適な前回転動作時間として設定されている。このトナー交換パターンの前回転動作時間τ２は前記の紙ジャムパターンの前回転動作時間τ１よりも長い時間で、トナーケース２０内の新しいトナーを攪拌して帯電量を均一化するのに要する時間で設定されている。
【００６２】
次に、本発明の画像形成装置１の前回転動作制御について説明する。
本発明の画像形成装置１は、前回のジョブでジャム処理やトナー交換などメンテナンスの必要性が発生していた場合や、画像形成装置１が正常な場合など前回のジョブでの画像形成装置１の状態に応じて今回のジョブの前における前回転動作を、最適な前回転動作時間で最適な前回転動作条件に基づいて動作するように設定するところに特徴がある。
【００６３】
まず、前回のジョブについてその概略を説明する。
図６に示すように、まず、操作部９のスタートキーが押されるなどして、ジョブの実行操作が行なわれると（ステップＳ１）、制御装置９０から駆動モータ９５、９６をはじめ画像形成装置１の各部へ画像形成信号が出力されて、給紙装置５の給紙トレイ５０上の用紙が第１用紙搬送経路１１内に取り込まれていき、各ユニット２、３、４、６で画像形成処理が行なわれる（ステップＳ２）。この処理の過程で、用紙検出手段９８、９９によって紙ジャムが検出されれば（ステップＳ３）、制御装置９０の記憶手段９１には紙ジャム情報が書き込まれて（ステップＳ４）、表示パネル９４に紙ジャム発生が表示され（ステップＳ５）、駆動モータ９５、９６をはじめとした画像形成装置１の各部の動作が停止して、画像形成処理が中断される（ステップＳ６）。
【００６４】
一方、この画像形成処理の過程で、寿命検出手段９７によって現像器ユニット２のトナーケース２０内のトナーの残量が所定量以下になり、トナーケース２０内のトナーが尽きようとして寿命がきたことが検出されれば（ステップＳ７）、制御装置９０の記憶手段９１にはトナー寿命情報が書き込まれて（ステップＳ８）、表示パネル９４にトナー寿命が表示され（ステップＳ９）、駆動モータ９５、９６をはじめとした画像形成装置１の各部の動作が停止して、画像形成処理が中断される（ステップＳ１０）。
なお、この場合は、画像形成処理を中断せずに、このジョブ（前回のジョブ）については最後まで画像形成処理を実行するなどとしてもよい。
【００６５】
また、このジョブ（前回のジョブ）での画像形成処理が最後まで終了するまで（ステップＳ１１）、紙ジャムもトナー寿命も検出されなければ、制御装置９０の記憶手段９１には画像形成装置１が正常状態である旨の正常情報が書き込まれる（ステップＳ１２）。
【００６６】
次に、今回のジョブの前における前回転動作について説明する。
図７に示すように、まず、ユーザーが画像形成装置１の電源を投入するなどして画像形成装置１の立ち上がり操作が行われると（ステップＴ１）、制御装置９０の記憶手段９１に記憶されている、前回のジョブでの画像形成装置１の状態に関する情報が読み出される（ステップＴ２）。このとき記憶手段９１から紙ジャム情報が読み出されれば（ステップＴ３）、ステップＴ１１に移行し、記憶手段９１からトナー寿命情報が読み出されれば（ステップＴ４）、ステップＴ２０に移行する。
【００６７】
一方、記憶手段９１から画像形成装置１が正常状態である旨の正常情報が読み出されれば、言い換えれば、記憶手段９１から紙ジャム情報とトナー寿命情報の双方とも読み出されなければ、制御装置９０の設定手段９２で、前記通常パターンの前回転動作条件が設定される（ステップＴ５）。
【００６８】
前記ステップＴ１で、画像形成装置１の立ち上がり操作が行われた時に、制御装置９０からランプヒータ４３へ加熱指令が出力されていて、該ランプヒータ４３はヒートローラ４１を加熱しており、サーミスタ４５で検出されたヒートローラ４１の外周温度Ｔが前記の温度Ｔａに達すると（ステップＴ６）、制御装置９０から駆動モータ９５、９６や現像器電圧印加回路２６などへ前回転動作指令が出力されて、通常パターンの前回転動作条件で前回転動作が開始される（ステップＴ７）。
【００６９】
制御装置９０では、この前回転動作が開始されたときからの経過時間τが計測されており、該経過時間τが前記通常パターンの前回転動作時間τ０に達すると（ステップＴ８）、制御装置９０から駆動モータ９５、９６や現像器電圧印加回路２６へ前回転動作停止指令が出力されて、前回転動作が終了するとともに（ステップＴ９）、制御装置９０からランプヒータ４３へ温度保持指令が出力されて、該ランプヒータ４３はＯＮ／ＯＦＦ制御を繰り返しながらヒートローラ４１の表面温度を略一定に保ち、画像形成装置１は画像形成処理を待ち受ける待機状態に移行する（ステップＴ１０）。
【００７０】
一方、前記ステップＴ３で、記憶手段９１から紙ジャム情報が読み出されれば、図８に示すように、設定手段９２では、前記紙ジャムパターンの前回転動作条件が設定される（ステップＴ１１）。そして、サーミスタ４５で検出されたヒートローラ４１の外周温度Ｔが前記の温度Ｔａに達すると（ステップＴ１２）、制御装置９０から駆動モータ９５、９６や現像器電圧印加回路２６などへ前回転動作指令が出力されて、紙ジャムパターンの前回転動作条件で前回転動作が開始される（ステップＴ１３）。
【００７１】
制御装置９０では、この前回転動作が開始されたときからの経過時間τが計測されており、該経過時間τが前記紙ジャムパターンの前回転動作時間τ１に達すると（ステップＴ１４）、制御装置９０から駆動モータ９５、９６や現像器電圧印加回路２６へ前回転動作停止指令が出力されて、前回転動作が終了する（ステップＴ１５）。
【００７２】
また、前記経過時間τが前記前回転動作時間τ１に達したときに、制御装置９０からランプヒータ４３へ温度保持指令が出力されて、該ランプヒータ４３はＯＮ／ＯＦＦ制御を繰り返しながらヒートローラ４１の表面温度が略一定に保たれる。そして、この前回転動作終了時に、制御装置９０は用紙検出手段９８、９９からの検出信号を参照しながら、ジャム処理が行なわれたか否かをチェックし、第１用紙搬送経路１１の途中、又は第２用紙搬送経路１２の途中に残っていた用紙がこの前回転動作で自動的に排出されて、紙ジャムが解除されていれば（ステップＴ１６）、制御装置９０の記憶手段９１に画像形成装置１が正常状態である旨の正常情報が書き込まれて（ステップＴ１７）、画像形成装置１は待機状態に移行する（ステップＴ１０）。
【００７３】
一方、前記ステップＴ１６で、依然用紙検出手段９８又は９９で用紙が検出されていて、紙ジャムが解除されていなければ、制御装置９０の記憶手段９１には紙ジャム情報が再度書き込まれ（ステップＴ１８）、表示パネル９４には紙ジャム発生が表示されて（ステップＴ１９）、画像形成装置１は待機状態に移行する（ステップＴ１０）。
【００７４】
また一方、前記ステップＴ４で、記憶手段９１からトナー寿命ジャム情報が読み出されれば、図９に示すように、設定手段９２では、前記トナー交換パターンの前回転動作条件が設定される（ステップＴ２０）。そして、サーミスタ４５で検出されたヒートローラ４１の外周温度Ｔが前記の温度Ｔａに達すると（ステップＴ２１）、制御装置９０から駆動モータ９５、９６や現像器電圧印加回路２６などへ前回転動作指令が出力されて、トナー交換パターンの前回転動作条件で前回転動作が開始される（ステップＴ２２）。
【００７５】
制御装置９０では、この前回転動作が開始されたときからの経過時間τが計測されており、該経過時間τが前記紙ジャムパターンの前回転動作時間τ２に達すると（ステップＴ２３）、制御装置９０から駆動モータ９５、９６や現像器電圧印加回路２６へ前回転動作停止指令が出力されて、前回転動作が終了する（ステップＴ２４）。
【００７６】
また、前記経過時間τが前記前回転動作時間τ２に達したときに、制御装置９０からランプヒータ４３へ温度保持指令が出力されて、該ランプヒータ４３はＯＮ／ＯＦＦ制御を繰り返しながらヒートローラ４１の表面温度が略一定に保たれる。そして、この前回転動作終了時に、制御装置９０は寿命検出手段９７からの検出信号を参照しながら、トナーケース２０内のトナーが補充（又はトナーケース２０自体がトナーが充填された新品のトナーケースに交換）されたか否かをチェックし、トナー交換が行われていれば（ステップＴ２５）、制御装置９０の記憶手段９１に画像形成装置１が正常状態である旨の正常情報が書き込まれて（ステップＴ２６）、画像形成装置１は待機状態に移行する（ステップＴ１０）。
【００７７】
一方、前記ステップＴ２５で、トナー交換が行われていなければ、制御装置９０の記憶手段９１にはトナー寿命情報が再度書き込まれ（ステップＴ２７）、表示パネル９４にはトナー寿命が表示されて（ステップＴ２８）、画像形成装置１は待機状態に移行する（ステップＴ１０）。
【００７８】
このような構成で、本発明の画像形成装置１では、今回のジョブの前に、ジャム処理やトナー交換などのメンテンスの必要性がなくなったか否かを再確認することができるようになっており、信頼性の向上が図られている。今回のジョブの前における前回転動作を終えるときに、前記検出手段９８、９９（又は９７）で検出されていたメンテナンスの必要性が解除されている場合は、前記記憶手段９１に書き込まれていたそのメンテンスの種類に関する情報を自動的にクリアーして画像形成装置１が正常状態である旨の情報を書き込み、一方、前記検出手段９８、９９（又は９７）で検出されていたメンテナンスの必要性が解除されていない場合は、前記記憶手段にそのメンテンスの種類に関する情報を再度書き込んで、この後の制御は、この記憶手段９１に書き込まれた情報を参照して行われるようになっている。
【００７９】
これとともに、今回のジョブの前における前回転動作を終えるときに、ジャム処理やトナー交換などのメンテンスの必要性が解除されていない場合には、報知手段である表示パネル９４を通じて、その旨が報知されて、ユーザーにメンテナンスが促されるようになっている。
【図面の簡単な説明】
【００８０】
【図１】画像形成装置１の概略構成を示す正面断面図。
【図２】画像形成装置１の制御構成を示すブロック図。
【図３】通常パターンの前回転動作を示すタイムチャート。
【図４】紙ジャムパターンの前回転動作を示すタイムチャート。
【図５】トナー交換パターンの前回転動作を示すタイムチャート。
【図６】前回のジョブでの画像形成処理の流れを示すフローチャート。
【図７】今回のジョブの前における前回転動作の流れを示すフローチャート。
【図８】今回のジョブの前における前回転動作の流れを示すフローチャート。
【図９】今回のジョブの前における前回転動作の流れを示すフローチャート。
【符号の説明】
【００８１】
１    画像形成装置
１ａ  装置本体
２    現像器ユニット
３    感光体ユニット
４    定着器ユニット
５    給紙装置
６    露光器ユニット
９    操作部
１１    第１用紙搬送経路
１２    第２用紙搬送経路
２０    トナーケース
４１    ヒートローラ
４３    ランプヒータ
４５    サーミスタ
９０    制御装置
９１    記憶手段
９２    設定手段
９４    表示パネル
９５    第１駆動モータ
９６    第２駆動モータ
９７    寿命検出手段
９８    第１用紙検出手段
９９    第２用紙検出手段
【図１】
2005284193.tif 000003
【図２】
2005284193.tif 000004
【図３】
2005284193.tif 000005
【図４】
2005284193.tif 000006
【図５】
2005284193.tif 000007
【図６】
2005284193.tif 000008
【図７】
2005284193.tif 000009
【図８】
2005284193.tif 000010
【図９】
2005284193.tif 000011